【事件の表示】
　特願２００４−１３５７０９号「横臥式遠赤外線サウナ風呂」拒絶査定不服審判事件〔平成１７年１１月１０日出願公開、特開２００５−３１２７５５号〕について、次のとおり審決する。
【結　論】
　本件審判の請求は、成り立たない。
【理　由】
Ｉ．手続の経緯
　本願は、平成１６年４月３０日の出願であって、平成１９年１１月９日付けで拒絶査定がなされ、これに対し、平成１９年１２月２０日に拒絶査定不服審判の請求がなされるとともに、平成２０年１月１８日付けで特許請求の範囲についての手続補正がなされたものである。
　
II．平成２０年１月１８日付けの手続補正についての補正却下の決定
［補正却下の決定の結論］
　平成２０年１月１８日付けの手続補正（以下、「本件補正」という。）を却下する。
　
［理由］
１．補正後の本願発明
　本件補正により、特許請求の範囲の請求項１は、次のように補正された。
　「
内面に発熱体と遠赤外線放射体を備えた
から
　前記コントローラは、
使用者が前記カバー体内に横臥した状態で操作可能であって、
るボ
内に電源を供給されて７．８Ｈｚを基準とする共振周波数で発振し、半径２ｍの半球の領域内にシューマン波を放射するシューマン波発生器を収容するとともに、
　ことを特徴とする横臥式遠赤外線サウナ風呂。」（なお、下線は補正箇所を示すものである。）
　
２．補正の目的及び新規事項の追加の有無（補正の（目的の）適否）
　本件補正は、実質的にみて、請求項１に記載した発明を特定するために必要な事項である「コントローラ」に、「使用者が前記カバー体内に横臥した状態で操作可能」であるとの限定を付加するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　そして、本件補正は、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前特許法第１７条の２第５項において準用する同法第１２６条第５項の規定に適合するか）について以下に検討する。
　
３−１．引用刊行物の記載事項
（刊行物１）
　原査定の拒絶の理由に引用された、本願出願前に頒布された刊行物である登録実用新案第３００６１６０号公報（以下、「刊行物１」という。）には、図面と共に次の事項が記載されている。
（ア）「【請求項１】　一つまたはそれ以上のサウナマット（１ａ，１ｂ）を蒲鉾状に曲げ、このサウナマットの両端をそれぞれ一つのレール（６）に装着し、防水マット（３）の上に載置し、サウナマットの上部に人物の首部分を通す開口（８）を有する断熱シート（２）を、また下部に断熱シートを設けて、一人の人物が入ることのできるサウナ空間を形成し、前記サウナマットの基材（１０）の内面に発熱素子（１２）により遠赤外を放出する機能、および、サウナ空間を種々の着色光で照明する発色光源装置（３０）を設け、発熱素子（１２）に導線を介して接続してこの発熱素子の通電を制御し、前記発色光源装置（３０）により所定の着色状態で電気的に発色照明する制御装置（４）を有することを特徴とする遠赤外クロモセラピーベッド設備。」（【実用新案登録請求の範囲】）
（イ）「　　【産業上の利用分野】
　この考案は、美容、健康維持用に使用できる遠赤外を使用した簡易型サウナ設備であって、特に発光着色を有する遠赤外クロモセラピーベッド設備に関する。」（段落【０００１】）
（ウ）「　図１Ａ〜Ｄには、この考案による遠赤外クロモセラピーベッド設備が示してある。この設備は大別してサウナマット１ａ，１ｂ，防水敷マット３およびサウナの加熱を制御する制御装置４で構成されている。図のように、一人の人間が入ることができる比較的狭い空間を確保するため、蒲鉾状に曲げて形成される上部サウナマット１ａと同様に蒲鉾状に曲げて形成される下部サウナマット１ｂが防水敷マット４の上に載置される。このサウナマット１ａ，１ｂと防水敷マット４との間のサウナ空間で、美容あるいは健康維持を希望する人物が防水敷マット４の上に横臥する。・・・」（段落【０００８】）
（エ）「　図３は制御装置４の表パネル４０を示す。この制御装置４には、装置全体の電源を操作する主電源スイッチ４１があり、遠赤外サウナに関して、タイマに無関係に押すと加熱素子１２を発熱させる動作スイッチ４２，加熱素子の発熱の動作を決めるタイマースタートスイッチ４３，タイマー設定用の押しボタンキー４４，タイマ表示部４５（タイマの経過時間あるいは設定時のタイマ時間を表示する液晶表示器），遠赤外サウナの温度調節ノブ４６が設けてある。また、クロモセラピーに関して、自動手動切換器４７，自動時のオートプログラム切換スイッチ４８および手動発光色選択スイッチ４９で構成されている。」（段落【００１７】）
（オ）「　緑色：　最も標準的な治療要素の一つで、優れた鎮静作用、的を得た治療効果をもたらす。黄色と緑色が一緒になった色は、ストレスと神経疲労に顕著な効果を有する。その外、心臓ならびに血圧の疾患、潰瘍、頭痛、神経痛、インフルエンザ等にも効果的である。」（段落【００２３】）
（カ）上記（エ）における「加熱素子１２」は（ア）における「発熱素子（１２）」と同義のものと理解できる。
（キ）図１からみて、制御装置（４）は、サウナマット（１ａ，１ｂ）が載置される面に載置できるものである。
　
　これら記載事項及び図示内容を総合し、本願補正発明の記載ぶりに則って整理すると、刊行物１には、次の発明（以下、「引用発明」という。）が記載されている。
　「蒲鉾状に曲げたサウナマット（１ａ，１ｂ）の基材（１０）の内面に発熱素子（１２）により遠赤外を放出する機能を設け、制御装置（４）を有し、さらにサウナ空間を種々の着色光で照明する発色光源装置（３０）を設け、
　前記制御装置（４）は、前記サウナマット（１ａ，１ｂ）が載置される面に載置できるものであるとともに、遠赤外サウナに関して、発熱素子（１２）の通電を制御するものであって、動作スイッチ（４２），タイマースタートスイッチ（４３），タイマー設定用の押しボタンキー（４４），温度調節ノブ（４６）等が設けてあり、クロモセラピーに関して、所定の着色状態で電気的に発色照明するものであって、自動手動切換器（４７），自動時のオートプログラム切換スイッチ（４８）等が設けてある、遠赤外クロモセラピーベッド設備。」
　
（刊行物２）
　原査定の拒絶の理由に引用された、本願出願前に頒布された刊行物である登録実用新案第３００９１２８号公報（以下、「刊行物２」という。）には、次の事項が図面とともに記載されている。
（ク）「　【産業上の利用分野】
　この考案は、美容、健康維持等のために使用できる簡易型遠赤外サウナ設備に関する。」（段落【０００１】）
（ケ）「　図１には、この考案による遠赤外サウナ設備を示す。この設備は大別してサウナマット１ａ，１ｂ，防水敷マット３およびサウナの加熱制御装置４で構成されている。・・・」（段落【０００８】）
（コ）図１、図３からみて、使用者がサウナマット１ａ，１ｂ内に横臥した状態で操作可能なように加熱制御装置４を配置できることは明らかである。
　
（刊行物３）
　原査定の拒絶の理由に引用された、本願出願前に頒布された刊行物である特開２００２−２５８８８０号公報（以下、「刊行物３」という。）には、次の事項が図面とともに記載されている。
（サ）「本発明の主構成要素である発振器２としては、上記のような極低周波は一般の共振回路が使えないので、ＣＲ発振回路を用いる。このＣＲ発振回路としては、図２の（ａ）に例示されるターマン形発振回路２１（ウィーンブリッジ形発振回路とも言う。）または図２の（ｂ）に例示される移相形発振回路２２があり、両者とも適用できる。
　上記ターマン形発振回路２１では、トランジスタＱ１、Ｑ２で構成される２段の増幅で入力の位相と同相になった出力の一部が、そのままの位相で戻り（帰還回路２４）、正帰還が成立するような或る周波数ｆで発振する。ｆ＝１／２π（Ｃ1・Ｃ2・Ｒ1・Ｒ2）1/2〔Ｈｚ〕となり、Ｃ1とＣ2を調整してシューマン共鳴周波数７．８３Ｈｚ近傍（４〜１０Ｈｚの範囲）に設定される。このターマン型発振回路２１の回路構成は発振周波数が安定しており、正弦波に近く波形歪みが少ないので本発明の発振器２に最適といえる。」（段落【００１５】〜【００１６】）
（シ）「以上の構成の本発明の電磁波放出装置１０は、小さな弁当箱程度のプラスチック等の箱体に収納されて、家庭内の居間等に置かれて持続的にシューマン共鳴の電磁波を放出する。もしくは、オーディオ試聴時のみオンしたり、人感知センサーを付設して部屋に人がいる時のみオンするなど、使用形態は種々考えらえる。
　なお、上記共振周波数ｆは正確にシューマン共鳴周波数の７．８３Ｈｚに設定することが好ましいが、上記４〜１０Ｈｚの範囲（脳波におけるスロウα波とθ波の範囲）のシューマン共鳴周波数近傍の発振周波数でも十分なリラックス効果が得られるのであり、反面この周波数範囲を外れるとリラックス効果や音楽試聴の際の音感向上の効果は低減する。また、放出する電磁波の強度はリラックス効果の及ぶ範囲が半径数メートル若しくは十数メートル程度内に抑えておくことが望ましく、本発明にいう弱電磁波とは上記範囲に及ぶ程度の出力を意味する。勿論、放出されるのは電磁波であるから音波等と違い密閉空間である必要はない。」（段落【００１９】〜【００２０】）
　
３−２．対比
　本願補正発明と引用発明とを対比すると、その構造または機能からみて、引用発明の「内面に発熱素子（１２）により遠赤外を放出する機能を設け」は、本願補正発明の「内面に発熱体と遠赤外線放射体を備え」に相当し、以下同様に、「蒲鉾状に曲げたサウナマット（１ａ，１ｂ）」は「中空かまぼこ型のカバー体」に、「制御装置（４）」は「コントローラ」及び「コントローラのボックス」に、「載置」は「静置」に、それぞれ相当する。
　また、引用発明の「発色光源装置（３０）」も電源を供給されるものであることは自明であるから、引用発明の「発色光源装置（３０）」と本願補正発明の「シューマン波発生器」とは、電源を供給されて、遠赤外線を放射する機能とは別の第２の機能を奏する装置である点で共通している。
　そして、引用発明の「制御装置（４）」も遠赤外サウナに関して、発熱素子（１２）の通電を制御するものであって、動作スイッチ（４２），タイマースタートスイッチ（４３），タイマー設定用の押しボタンキー（４４），温度調節ノブ（４６）等が設けてあるから、「発熱体の電源のＯＮ・ＯＦＦ、発熱時間及び発熱温度を制御する第１制御手段」を有するということができる。
　また、同「制御装置（４）」はクロモセラピーに関して、所定の着色状態で電気的に発色照明するものであって、自動手動切換器（４７），自動時のオートプログラム切換スイッチ（４８）等が設けてあることからみて、発色光源装置（３０）すなわち第２の機能を奏する装置のＯＮ・ＯＦＦを制御することが少なくとも記載されているに等しいということができる。
　さらに、引用発明の「遠赤外クロモセラピーベッド設備」も、上記記載事項（ウ）等からみて「横臥式遠赤外線サウナ風呂」と表現することができる。
　そこで、本願補正発明の用語を用いて表現すると、両者は次の点で一致する。
（一致点）
　「内面に発熱体と遠赤外線放射体を備えた中空かまぼこ型のカバー体と、コントローラとからなり、
　さらに電源を供給されて第２の機能を奏する装置を備え、
　前記コントローラは、前記カバー体が静置される面に静置できるボックスを有し、前記発熱体の電源のＯＮ・ＯＦＦ、発熱時間及び発熱温度を制御する第１制御手段と、前記第２の機能を奏する装置のＯＮ・ＯＦＦを制御する第２の制御手段とを有するものである、
　ことを特徴とする横臥式遠赤外線サウナ風呂。」
　
　そして、両者は次の相違点１〜３で相違する。
（相違点１）
　「コントローラ」に関して、本願補正発明は「使用者がカバー体内に横臥した状態で操作可能」であるのに対し、引用発明はそのような明示はない点。
　
（相違点２）
　「第２の機能を奏する装置」が、本願補正発明は「７．８Ｈｚを基準とする共振周波数で発振し、半径２ｍの半球の領域内にシューマン波を放射するシューマン波発生器」であって「発振回路」を備えているのに対し、引用発明は「種々の着色光で照明する発色光源装置（３０）」である点。
　
（相違点３）
　「第２の機能を奏する装置」を、本願補正発明では「コントローラのボックス内に」「収容」しているのに対し、引用発明ではコントローラと別に備えている点。
　
３−３．相違点の判断
　上記相違点について検討する。
（相違点１について）
　引用発明と同様の構成を備えたサウナ設備が記載された刊行物２には、使用者がサウナマット１ａ，１ｂ内に横臥した状態で操作可能なように加熱制御装置４を配置できる点が記載されている（上記記載事項（コ）参照）。
　そこで、引用発明に刊行物２に記載された発明を適用して、相違点１に係る本願補正発明の発明特定事項とすることは当業者が容易に想到し得たことである。
　
（相違点２について）
　刊行物３には、シューマン共鳴周波数７．８３Ｈｚ近傍に設定された共振周波数で発振し、半径数メートル程度内に及ぶ出力の電磁波を放出する電磁波放出装置、すなわち「７．８３Ｈｚ近傍に設定された共振周波数で発振し、半径数メートル程度内に及ぶ出力のシューマン波を放射するシューマン波発生器」であって「発振回路」を備えたものが記載されている。ここで、「７．８３Ｈｚ近傍に設定」を「７．８Ｈｚを基準とする」とし、「半径数メートル程度内」を「半径２ｍの半球の領域内」とすることはこの電磁波放出装置が家庭内の居間等に置かれるとの記載（記載事項（シ）参照）も参酌すれば当業者が適宜設定しうる設計的事項にすぎない。
　そして、刊行物１には最も標準的な治療要素として、鎮静作用を得るために光を照射することが記載されており、刊行物３に記載された装置もリラックス効果を得るためのものであって、両者は共通した課題を有するから、引用発明に刊行物３に記載された装置を適用する点に困難性はない。
　そうすると、引用発明の第２の機能を奏する装置に替えて、刊行物３に記載された「シューマン波発生器」を適用して相違点２に係る本願補正発明の発明特定事項とすることは当業者が容易に想到し得たことである。
　
（相違点３について）
　第２の機能を奏する装置をどこに配置するかは、装置の大きさ等に応じ適宜定める事項に過ぎないし、さらに加熱機能及び第２の機能を奏する装置を有したサウナ等において、それらの装置を制御する「コントローラのボックス」に相当する部分に第２の機能を奏する装置自体を収容することは本願出願前周知の技術事項である（例、特開昭６１−２１３０６４号公報、実願昭６２−１８１５６４号（実開平１−８４６５８号）のマイクロフィルム参照）点に鑑みれば、引用発明に基づいて相違点３に係る本願補正発明の発明特定事項とすることは当業者が容易に想到し得たことである。
　
　そして、本願補正発明による効果も、引用発明ないし刊行物１〜３に記載された技術事項から当業者が予測し得た程度のものであって、格別のものとはいえない。
　
　したがって、本願補正発明は、引用発明ないし刊行物１〜３に記載された技術事項に基づいて、当業者が容易に発明をすることができたものであるので、特許法第２９条第２項の規定により、特許出願の際独立して特許を受けることができない。
　
３−４．むすび
　したがって、本件補正は、平成１８年法律第５５号改正附則第３条第１項によりなお従前の例によるとされる同法による改正前特許法第１７条の２第５項において準用する同法第１２６条第５項の規定に違反するので、特許法第１５９条第１項において読み替えて準用する同法第５３条第１項の規定により却下すべきものである。
　
III.本願発明
　本件補正は、上記のとおり却下されたので、本願の請求項１に係る発明（以下、同項記載の発明を、「本願発明」という。）は、平成１９年１０月２２日付けの手続補正書により補正された明細書の、特許請求の範囲の請求項１に記載された事項により特定される、以下のとおりのものである。
　「　中空かまぼこ型のカバー体と、コントローラと、シューマン波発生器とからなり、
　前記カバー体は、内面に発熱体と遠赤外線放射体を備えたものであり、
　前記シューマン波発生器は、前記コントローラのボックス内に収容され、電源を供給されて７．８Ｈｚを基準とする共振周波数で発振し、半径２ｍの半球の領域内にシューマン波を放射するものであり、
　前記コントローラは、前記カバー体が静置される面に静置できる前記ボックスを有し、そのボックスに前記発熱体の電源のＯＮ・ＯＦＦ、発熱時間及び発熱温度を制御する第１制御手段と、前記シューマン波発生器の発振回路のＯＮ・ＯＦＦを制御する第２の制御手段とを有するものである、
　ことを特徴とする横臥式遠赤外線サウナ風呂。」
　
IV.引用例の記載事項
　原査定の拒絶の理由に引用された刊行物１、及び、その記載事項は、前記II.３−１に記載したとおりである。
　
Ｖ．対比・判断
　本願発明は、実質的にみて、前記II.１の本願補正発明から、「コントローラ」の限定事項である「使用者が前記カバー体内に横臥した状態で操作可能」との発明特定事項を省いたものである。
　そうすると、本願発明の発明特定事項をすべて含み、さらに、他の発明特定事項を付加したものに相当する本願補正発明が、前記II.３−３に記載したとおり、引用発明ないし刊行物１〜３に記載された技術事項に基づいて、当業者が容易に発明をすることができたものであるから、本願発明も、同様に、引用発明ないし刊行物１〜３に記載された技術事項、すなわち刊行物１〜３に記載された発明に基づいて、当業者が容易に発明をすることができたものである。
　
VI.むすび
　以上のとおり、本願発明は、刊行物１〜３に記載された発明に基づいて、当業者が容易に発明をすることができたものであるから、特許法第２９条第２項の規定により、特許を受けることができない。
　よって、結論のとおり審決する。